(57)【要約】      （修正有）【課題】自宅では勿論、図書館や旅先などへ持って行っても使える折畳み式の書見台で、本の傾斜角度や高さを各１０段階に調整でき、文庫本から週刊誌までに使える書見台を提供する。【解決手段】書見台の支柱板２の裏面に設けた１０本の水平バーの何れかに支持板４の先端を架けることで、書見板１の傾斜角度を４５度から８０度の１０段階で調節し、書載台の下に装備したマグネットピン１１とそれを嵌入する１０個のピン穴１２を支柱板に穿設し、それらのいずれかのピン穴にピンを嵌入することによって、書見板の高さを１０段階で調整でき、机上や膝上は勿論、書見板を裏返すことによって書見台を胸上に置いて寝床でも使える。また、別途独立に装備する移動自在のバインダーを使い、本のページ部を開いた状態で固定することによって両手を自由にして読書することを可能とする。【選択図】図１
0003184536.tif 000002
【実用新案登録請求の範囲】
【請求項１】
本考案は、本を載せる板（以下「書見板」という。符号（１））、書見板をその裏面で支える板（以下「支柱板」という。符号（２））、支柱板を下から支える板（以下「基板」という。符号（３））、支柱板を背後から支える板(以下「支持板」という。符号（４）)及び、支持板を支柱板に繋ぐ板（以下「第２支持板」という。符号（５））の５枚の板から構成される書見台で、支柱板と基板とが、支柱板の下端と基板の前端とにおいて帆布（６）を使って蝶着されて蝶番部（符号（７））を構成し、基板と支持板とが、基板の後端と支持板の下端とにおいて帆布を使って蝶着されて第２蝶番部（符号（８））を構成し、また支持板と第２支持板とが、支持板の上端と第２支持板の下端とにおいて帆布を使って蝶着されて第３蝶番部（符号（９））を構成し、支柱板の中央部に、先端にマグネット盤（符号（１０））を貼着したピン（以下「マグネットピン」という。符号（１１））を挿入する穴（以下「ピン穴」という。符号(１２））を下から上へ、１１箇所穿設し、最下段から１０番目までのピン穴を裏面から塞ぐように、幅１センチメートル、長さ２1センチメートルの鉄板（以下「スチール板」という。符号（１３））を支柱板の裏面に貼着し、最上段のピン穴を表面から塞ぐように、縦横１センチメートルの正方形の鉄板（以下「第２スチール板」という。符号（１４））を支柱板の表面に貼着し、さらに、第２支持板の内側中央に第２マグネット盤（符号（１５））を貼着した書見台。
【請求項２】
本考案は、書見板の裏面に、支柱板を包み込むためのガイド枠（以下「ガイド枠」という。符号（１６））を縦に２本平行に設け、そのガイド枠の中を支柱板が上下に摺動するようにし、書見板の中央下部に本を載せる台（以下「書載台」という。符号（１７））を凸設させ、書載台の中央部の下に、マグネットピンが貫通する孔（以下「ピン孔」という。符号（１８））を穿設した請求項１記載の書見台。
【請求項３】
本考案は、ピン孔を通過したマグネットピンを、支柱板の表に下から１０箇所開けられたピン穴のいずれかの穴に挿入し、マグネットピンの先端が、磁力によって、支柱板の裏面に貼られたスチール板に吸着固定されることにより、書見板の高さを１０段階のいずれかの高さに調整し、支柱板の裏面に水平に設けられた１０本の棒（以下「水平バー」という。符号（１９））の何れかに、第２支持板が架かり、第２支持板の内側に貼られた第２マグネット盤が、磁力によって支柱板の裏面に貼られたスチール板に吸着固定されることにより、書見板の傾斜角度を４５度から８０度の間において１０段階に調整できることとした書見台であり、さらに、支柱板から引き抜いた書見板を裏返して上から支柱板に嵌挿させ、マグネットピンを最上段のピン穴に挿入し、磁力によって、支柱板の表面に貼られた第２スチール板に吸着固定することにより、寝ながら仰臥して書見することを可能にした請求項１記載の書見台。
【請求項４】
本考案は、書見板の上部に、本件書見台を手で持ち上げるための取っ手の空間部（符号（２０））を削成し、基板の後端部と支持板の下端部との第２蝶番部の中央に、脚組みした片脚の膝部の入るアーチ形空間部（符号（２１））を削成し、脚組みした膝の上に本考案の書見台を安定的に置いて書見することを可能にする書見台で、書載台の上に本を載置して、左右に開けた本から手を離しても、本が書載台から落ちないようにするための、また、本のページ部（符号（２２））が閉じられないように書見板の適宜な場所に本や本のページ部を留めるための用具である移動自在のバインダー（以下「移動自在バインダー」という。符号（２３））を装備した請求項１記載の書見台。
【考案の詳細な説明】
【技術分野】
【０００１】
本考案は、本を読む者が額を俯けにせず、目や肩、首、手に負担のかからない楽な姿勢で読書することを可能にし、机上に限らず膝上や枕上などでも使える書見台で、図書館や旅先へ携行することも容易にした折畳み式の書見台に関する。  
【背景技術】
【０００２】
市販の書見台の多くは、立体的であり図書館や旅先へ携行して使うには嵩張ってそれなりの荷物になるものが多い。
【０００３】
従来の携帯用書見台は構造が複雑なものが多く、その使用は机上に限られるうえ、本の保持や見開きページの固定に安定感を欠き、また、本の高さを変えることができず固定され、その傾斜角度の選択の幅も限られているものが多い。
【０００４】
【特許文献１】特開２００２−２０９６４１号公報特開平０７−３１３２６０号公報実開平０６−００７５４１号公報
【考案の開示】
【考案が解決しようとする課題】
【０００５】
解決しようとする課題は、市販の多くの書見台が立体的になっており、気軽に図書館や旅先へ持っていけるようになっておらず、仮に携帯用となっていたものがあったとしても、机上での使用に限定され、載置する本の高さの調整ができず、本の傾斜角度の調整の幅も限られ、本のページ押さえも安定的には行えず、本の上に手を載せてその余白に筆圧を加えて線を引いたりメモができなかったり、両手を自由にして読書できるようになっておらず、それらの難点を解消するため、マグネット盤を利用して、本の傾斜角度や高さを自在に調整できるようにし、また、携帯にも便利な折畳み式の書見台を提供すること。
【課題を解決するための手段】
【０００６】
本考案は、本を載せる書見板、書見板を裏面で支える支柱板、支柱板を下から支える基板、支柱板を背後から支える支持板及び支持板を支柱板に接触させる第２支持板の５枚の板から構成される。
【０００７】
基板と支柱板とが、基板の前端と支柱板の下端とで帆布で着されて蝶番部を構成し、さらに、基板と支持板とが、基板の後端と支持板の下端とで帆布で蝶着されて第２蝶番部を構成し、また支持板と第２支持板とが、支持板の上端と第２支持板の下端都とで帆布で蝶着されて第３蝶番部を構成し、先端にマグネット盤を貼着したマグネットピンを挿入するピン穴を、支柱板の中央部に、下から上へ１１箇所穿設し、支柱板の裏面の中央に幅１センチメートル、長さ２１センチメートルのスチール板を、また、支柱板の表面の中央上部に、縦横１センチメートルの正方形の第２スチール板を貼着し、さらに、第２支持板の内側中央に第２マグネット盤を貼着することとし、携帯に便利なように折畳み式の書見台とする。
【０００８】
本考案の書見台は、書見板の裏面に、支柱板を包み込むガイド枠を縦に２本平行して設け、そのガイド枠の中を支柱板が上下に摺動できるようにする。
【０００９】
本考案の書見台は、書見板の中央下部に本を載せる書載台を凸設させ、書載台の中央部の下に、マグネットピンが貫通するピン孔を穿設する。
【００１０】
本考案の書見台は、ピン孔を通過させたマグネットピンを、１０個のピン穴のいずれかの穴に挿入し、マグネットピンの先端が、磁力によってスチール板に吸着固定されることにより、書見板の高さを１０段階のいずれかの高さに調整でき、第２支持板が、支柱板の裏面に水平に設けられた１０本の水平バーの何れかに架かり、第２支持板の内側に貼られた第２マグネット盤が、磁力によってスチール板に吸着固定されることにより、書見板の傾斜角度を４５度から８０度の間において１０段階に調整できるようにする。
【００１１】
本考案の書見台は、書見板の上部に、本件書見台を手で持ち上げるための取っ手の空間部を削成し、基板の後端部と支持板の下端部との第２蝶番部の中央に、脚組みした片脚の膝部の入るアーチ形空間部を削成する。
【００１２】
本考案の書見台は、書載台の上に本を載置し、左右に開いた本から手を離しても、本が書載台から落ちることのないようにするとともに、また、本のページ部が閉じられないように書見板の適宜な場所に本のページ部を留める用具である移動自在バインダーを装備する。
【考案の効果】
【００１３】
本考案の書見台は、木の中で比重の最も軽い桐材で作られ、折畳み式となっているので、折畳んで鞄や手提げ袋などに入れて携帯、図書館や旅先へ持って行っても使える。
【００１４】
本考案の書見台は、書見板の上部に、本考案の書見台を手で持ち上げるための取っ手の空間部を削成したので、本を開いて書見台にセットしたまま移動するなど、書見台の取り扱いを容易にするとともに、基板の後端部と支持板の下端部との第２蝶番部の中に、脚組みした片脚の膝部の入るアーチ形空間部を削成したので、脚組みした膝上に書見台を置いても安定して書見できる。
【００１５】
本考案の書見台では、開けたページが閉じられないように留める移動自在バインダーを使うので、読書中ページを押さ続けなければならない煩わしさから開放され、両手を自由にして読書できる。
【００１６】
支柱板の裏面に水平に設けられた１０本の水平バーの何れかに、第２支持板が架かり、第２支持板の内側に貼られた第２マグネット盤が、磁力によってスチール板に吸着固定されることにより、書見板に載せた本の傾斜を４５度から８０度の１０段階の角度に容易に調整できる。      
【００１７】
本考案の書見台は、ピン孔を通過したマグネットピンを、支柱板に開けられた１０個のピン穴のいずれかの穴に挿入し、マグネットピンの先端が磁力によって支柱板のスチール板に吸着固定されることにより、書見板に載せた本の高さを１０段階のいずれかの高さに容易に調整でき、上記００１６と合わせて１００の段階で書見台の形態を選択することができる。
【００１８】
本考案の書見台は、本が移動自在バインダーによってしっかりと書見台に固定されるので、机上での書見に限ることなく、膝の上や脚組みした片脚の膝の上に書見台を置いて書見したり、また、組立てた書見台は、第２支持板の第２マグネット盤が支柱板のスチール板に吸着固定するので、書見台を横にしても形状が崩れることなく寝ながらでも使え、また、寝ながら読書するときは、片手で軽く書見板や支柱板を把持して基板の手前の蝶番部を胸の上に乗せたり、書見板を裏返して支柱板に上から嵌挿してセットしマグネットピンで固定した基板を胸の上に乗せることによって、本や書見台の重みを両手で持ち堪えることなく楽な仰臥書見をも可能にするとともに、横臥書見も自在にできる万能書見台である。
【考案を実施するための最良の形態】
【００１９】
図１（組立てた時の書見台の斜視図）、図２（組立てた時の書見台の右側面図）、図３（組立てた時の書見台の背面図）、図５(折畳んだ時の書見台の右側面図)に示す書見台を作る。
【００２０】
本考案の書見台は、書見板の中央下方部に凸設された書載台より上の書見板の寸法が縦３０センチメートル、横２５センチメートルとなっており、文庫本から週刊誌までの大きさの本を安定的に載置できる。
【実施例１】
【００２１】
図１は、組立て時の書見台の斜視図で、書見板に具設されたマグネットピンを支柱板に穿設された１０のピン穴のうち下から４番目のピン穴に嵌入して書見板の高さを固定し、支柱板の裏面に水平に設けられた１０本の水平バーの上から５番目の水平バーに第２支持板を架け、第２支持板の内側に貼られた第２マグネット盤が、磁力によってスチール板に吸着固定されることにより、書見板に載せた本の傾斜角度を６０度にした実施例である。
【実施例２】
【００２２】
図５は、折畳み時の書見台の右側面図で、書見板を最下段にまで下げ、基板と支持板を平らに延ばして支柱板と基板との蝶番部において折畳んだときの実施例である。
【実施例３】
【００２３】
図６は、本考案の書見台に単行本を載せた時の斜視図で、書見板下方部に凸設した書載台の上に本を置き、見開いた単行本のページ部が閉じられないように押さえるための用具である移動自在バインダーを使って見開いた本を書見板に留めて書見するときの実施例である。
【実施例４】
【００２４】
図７は、寝ながら仰向けになって読書する際、移動自在バインダーを使って本をセットした書見板を裏返して上から支柱板に嵌挿して、マグネットピンを最上段のピン穴に挿入して書見板を固定して、基板を胸の上に乗せて書見する時の実施例。
【図面の簡単な説明】
【００２５】
【図１】組立てた時の書見台の斜視図
【図２】組立てた時の書見台の右側面図
【図３】組立てた時の書見台の背面図
【図４】マグネットピンの斜視図
【図５】折畳んだ時の書見台の右側面図
【図６】書見台に単行本を載せた時の斜視図
【図７】本をセットした書見板を裏返して支柱板に嵌挿し固定した時の右側面図
【符号の説明】
【００２６】
（１）  書見板
（２）  支柱板
（３）  基板
（４）  支持板
（５）  第２支持板
（６）  帆布
（７）  蝶番部
（８）  第２蝶番部
（９）  第３蝶番部
（１０）マグネット盤
（１１）マグネットピン
（１２）ピン穴
（１３）スチール板
（１４）第２スチール板
（１５）第２マグネット盤
（１６）ガイド枠
（１７）書載台
（１８）ピン孔
（１９）水平バー
（２０）取っ手の空間部
（２１）アーチ形空間部
（２２）本のページ部
（２３）移動自在バインダー
【図１】
0003184536.tif 000003
【図２】
0003184536.tif 000004
【図３】
0003184536.tif 000005
【図４】
0003184536.tif 000006
【図５】
0003184536.tif 000007
【図６】
0003184536.tif 000008
【図７】
0003184536.tif 000009